(57)【要約】  いくつかの傘は支持アセンブリ、天蓋アセンブリ、および環状空気袋を含む。支持アセンブリはポンプとハンドルを含む。天蓋アセンブリはハンドルに取り付けられた複数の支持リブと、それぞれの支持リブに取り付けられたシートを含む。環状の空気袋は空気ポンプに結合され、空気袋はハンドルの周りに配置され、支持リブと係合する。
2017535391.tif 000002
【特許請求の範囲】
【請求項１】
傘であって、
支持アセンブリを備え、前記支持アセンブリは、
ポンプと、
ハンドルとを備え、
前記傘はさらに、天蓋アセンブリを備え、前記天蓋アセンブリは、
前記ハンドルに取り付けられた複数の支持リブと、
それぞれの前記支持リブに取り付けられたシートとを備え、
前記傘はさらに、空気ポンプに結合された環状の空気袋を備え、前記空気袋は前記ハンドルの周りに配置され前記支持リブと係合する、傘。
【請求項２】
前記傘は、収容された形状と展開された形状との間で反転可能に切り替えるよう構成された、請求項１に記載の傘。
【請求項３】
前記収容された形状において、前記空気袋は空気を抜かれ、前記支持リブは前記ハンドルから前記ハンドルに実質的に平行な方向に延びる、請求項２に記載の傘。
【請求項４】
前記展開された形状において、前記空気袋は膨らまされ、前記支持リブは前記空気袋によって前記ハンドルに対してある角度で支持され、前記シートは隣接する支持リブの間で延びる、請求項２に記載の傘。
【請求項５】
前記ポンプは前記ハンドル内に組み込まれる、請求項１に記載の傘。
【請求項６】
前記傘は前記ハンドルの上部に取り付けられたハブをさらに備える、請求項１に記載の傘。
【請求項７】
前記ハブは複数の前記支持リブを前記ハンドルに取り付ける、請求項６に記載の傘。
【請求項８】
前記環状の空気袋は前記ハブに取り付けられる、請求項７に記載の傘。
【請求項９】
複数の支持ストリップは前記環状の空気袋を前記ハブに取り付ける、請求項８に記載の傘。
【請求項１０】
前記支持リブに取り付けられたスタビライザをさらに備え、前記スタビライザは前記支持リブを前記ハンドルに対して予め規定された角度範囲に規定する、請求項１に記載の傘。
【請求項１１】
前記支持アセンブリは前記環状の空気袋内の空気を解放するように操作可能な空気解放機構をさらに備える、請求項１に記載の傘。
【請求項１２】
前記空気解放機構は前記支持アセンブリの外側周辺に配置されたカラーを備え、前記カラーは第１の位置および第２の位置の間で反転可能に切り替えるよう設計され、
前記第１の位置にあるとき、前記カラーはチャネルが前記環状の空気袋に流体連通するのを妨げ、これにより前記環状の空気袋内の空気が前記チャネルを通じて前記傘から退避するのを防止し、
前記第２の位置にあるとき、前記カラーは前記チャネルを妨げず、これにより前記環状の空気袋内の空気が前記チャネルを通じて前記傘からの退避を許容する、請求項１１に記載の傘。
【請求項１３】
傘であって、
支持アセンブリを備え、前記支持アセンブリは、
ポンプと、
ハンドルとを備え、
傘はさらに、天蓋アセンブリを備え、前記天蓋アセンブリは、
前記ハンドルに取り付けられたハブ部と、
前記ハブ部に取り付けられ空気ポンプに結合された複数の空気袋と、
それぞれの前記空気袋に取り付けられたシートとを備える、傘。
【請求項１４】
前記傘は収容された形状と展開された形状との間で反転可能に切り替えるよう構成された、請求項１３に記載の傘。
【請求項１５】
前記収容された形状において、前記空気袋は空気を抜かれた、請求項１４に記載の傘。
【請求項１６】
前記展開された形状において、前記空気袋は膨らまされ、前記ハブ部から前記ハンドルに対してある角度で延び、前記シートは隣接する空気袋の間に延びる、請求項１４に記載の傘。
【請求項１７】
前記ポンプは前記ハンドル内に組み込まれる、請求項１３に記載の傘。
【請求項１８】
前記ハブ部は前記空気袋からの空気の解放を制御するために操作可能なバルブを備える、請求項１３に記載の傘。
【請求項１９】
前記ハブ部は複数のバルブを備え、それぞれのバルブは対応する空気袋と関連し、前記対応する空気袋からの空気の解放を制御するために操作可能である、請求項１３に記載の傘。
【発明の詳細な説明】
【技術分野】
【０００１】
技術分野
本開示は傘、より具体的には膨らませることが可能な部分を有する傘に関する。
【背景技術】
【０００２】
背景
傘は使用者を要素（たとえば雨、雪、みぞれ、日光、および風）に対して保護するために構成された装置である。いくつかの傘は、展開された時に、携帯可能な保護的な天蓋で１またはそれ以上の使用者を保護する手持ちの装置である。いくつかの傘は外部テラス、歩道、ビーチ、フィールド、または他のエリアなどの特定のエリアに保護をもたらすために展開される固定または準固定される装置である。一般的に、傘はその使用者に望ましい程度の保護をもたらすために要素（たとえば水、風、および／または日光への耐性を有する）に対して弾性である。
【発明の概要】
【発明が解決しようとする課題】
【０００３】
要約
いくつかの傘は支持アセンブリ、天蓋アセンブリ、および環状空気袋を含む。支持アセンブリはポンプとハンドルを含む。天蓋アセンブリはハンドルに取り付けられた支持リブと、それぞれの支持リブに取り付けられたシートを含む。環状空気袋は空気ポンプと、ハンドル周辺に配置された空気袋に結合され、支持リブと係合する。
【課題を解決するための手段】
【０００４】
いくつかの傘は支持アセンブリおよび天蓋アセンブリを含む。支持アセンブリはポンプおよびハンドルを含む。天蓋アセンブリはハンドルに取り付けられたハブ部、ハブ部に取り付けられ空気ポンプに結合された複数の空気袋およびそれぞれの空気袋に取り付けられたシートを含む。
【０００５】
これらの傘のいくつかの実施形態は１またはそれ以上の以下の特徴を含む。
いくつかの実施形態において、傘は収容された形状と展開された形状との間で反転可能に切り替えるよう構成される。いくつかのケースにおいて、収容された形状において、空気袋は空気を抜かれ支持リブはハンドルから実質的にハンドルと平行な方向に延びる。いくつかのケースにおいて、展開された形状において、空気袋は膨らまされ、支持リブは空気袋によってハンドルに対してある角度で支持され、シートは隣接する支持リブの間に延びる。
【０００６】
いくつかの実施形態において、ポンプにはハンドルが組み込まれる。
いくつかの実施形態において、傘はハンドルの上部に取り付けられたハブをさらに含む。いくつかのケースにおいて、環状の空気袋はハブに取り付けられる。いくつかのケースにおいて、複数の支持ストリップは環状の空気袋をハブに取り付ける。
【０００７】
いくつかの実施形態において、傘は支持リブに取り付けられたスタビライザをさらに含む。スタビライザは支持リブをハンドルに対して所定の角度範囲に限定する。
【０００８】
いくつかの実施形態において、支持アセンブリは環状の空気袋内の空気を解放するために操作可能な空気解放機構をさらに含む。
【０００９】
いくつかの実施形態において、空気解放機構は支持アセンブリの外側外縁の周辺に配置されたカラーを含む。カラーは第１の位置と第２の位置との間で反転可能に切り替えるために構成される。第１の位置において、カラーはチャネルが環状の空気袋と流体連結するのを妨害し、これにより環状の空気袋内の空気がチャネルから流出し傘から退避するのを防止する。第２の位置において、カラーはチャネルを妨害せず、これにより環状の空気袋内の空気がチャネルに流出し傘から退避するのを許容する。
【００１０】
いくつかの実施形態において、傘は収容された形状と展開された形状との間で反転可能に切り替えるために構成される。いくつかのケースにおいて、収容された形状において、空気袋は空気を抜かれる。いくつかのケースにおいて、展開された形状において、空気袋は膨らまされてハブ部からハンドルに対して一定角度で延び、シートは隣接する空気袋の間に延びる。
【００１１】
いくつかの実施形態において、ポンプはハンドル内に組み込まれる。
いくつかの実施形態において、ハブ部は空気袋からの空気の解放を制御するために操作可能なバルブを含む。
【００１２】
いくつかの実施形態において、ハブ部は複数のバルブを含む。それぞれのバルブは対応する空気袋と関連し、対応する空気袋から空気の解放を制御するように操作可能である。
【００１３】
図面の説明
１またはそれ以上の実施形態の詳細は添付の図面および以下の説明に記される。他の特徴および利点は説明および図面、さらに請求項から明らかになるであろう。
【図面の簡単な説明】
【００１４】
【図１Ａ】傘の斜視図である。
【図１Ｂ】図１Ａの傘の断面図である。
【図２】ハブの斜視図である。
【図３Ａ】傘の上部の断面図である。
【図３Ｂ】傘の上部の断面図である。
【図３Ｃ】傘の上部の断面図である。
【図４Ａ】スタビライザを有する傘の一部の斜視図である。
【図４Ｂ】スタビライザを有する傘の一部の断面図である。
【図５Ａ】スタビライザを有する傘の一部の斜視図である。
【図５Ｂ】スタビライザを有する傘の一部の断面図である。
【図６Ａ】シートの上側に位置づけられたハブを有する傘の一部の斜視図である。
【図６Ｂ】シートの上側に位置づけられたハブを有する傘の一部の断面図である。
【図７Ａ】傘の斜視図である。
【図７Ｂ】傘の断面図である。
【図８Ａ】傘ハブの斜視図である。
【図８Ｂ】傘ハブの断面図である。
【図９】傘ハブの断面図である。
【図１０】傘の斜視図である。
【図１１】傘の斜視図である。
【図１２Ａ】傘ポンプの斜視図である。
【図１２Ｂ】傘ポンプの斜視図である。
【図１２Ｃ】傘ポンプの斜視図である。
【図１２Ｄ】傘ポンプの斜視図である。
【図１２Ｅ】傘ポンプの斜視図である。
【図１３Ａ】空気解放機構を有する傘ポンプの斜視図である。
【図１３Ｂ】空気解放機構を有する傘ポンプの斜視図である。
【図１３Ｃ】空気解放機構を有する傘ポンプの斜視図である。
【図１３Ｄ】空気解放機構を有する傘ポンプの斜視図である。
【図１４Ａ】他の空気解放機構を有する傘ポンプの斜視図である。
【図１４Ｂ】他の空気解放機構を有する傘ポンプの斜視図である。
【図１４Ｃ】他の空気解放機構を有する傘ポンプの斜視図である。
【発明を実施するための形態】
【００１５】
詳細な説明
傘は膨らませることのできる構成要素を含むことができる。たとえば、いくつかの傘は収容された形状（たとえば持ち運びにより適した崩れた形状）と展開された形状（たとえば使用者に保護をもたらす延びた形状）との間での切り替えを許容する１またはそれ以上の膨らませることのできる部分を含む。これらの膨らませることのできる部分は、たとえば環状、直線ビーム、湾曲ビームなどの膨らまされた形状を有する空気袋を含むことができる。これらの膨らませることのできる部分を含む傘は素早く収納されたり展開されることが可能であり、使用者に必要に応じて便利に傘の持ち運びと使用を可能とする。いくつかのケースにおいて、膨らませることのできる部分を有する傘は硬い構造部のみを有するかそれよりもより弾力的で、風または他の固有の損傷外部力に対してより弾力的である。膨らませることのできる部分を有する傘はまた使用者による傘の硬さの程度の制御を許容して使用者が望ましい適用または状態のために適切に制御可能に傘を強化することを可能とする。
【００１６】
傘１００の例は図１Ａおよび図１Ｂに示される。傘１００は天蓋アセンブリ１２０と支持アセンブリ１４０とを含む。天蓋アセンブリ１２０はハブ１２２、いくつかの支持リブ１２４、シート１２６、空気袋１２８、およびいくつかのジョイント１３０を含む。支持アセンブリ１４０はポンプ１４２、ハンドル１４４およびチューブ１４６を含む。
【００１７】
ハブ１２２は天蓋アセンブリ１２０の構成要素のための中心取付部を提供し、天蓋アセンブリ１２０と支持アセンブリ１４０を互いに取り付ける。傘１００のハブ１２２は概ね環状の形状で、支持アセンブリ１４０の上部に固定される。
【００１８】
支持リブ１２４は天蓋アセンブリのための構造的な支持をもたらす。それぞれの支持リブ１２４は一端においてハブ１２２に取り付けられるロッドまたはストリップであり、ハブ１２２の外縁周辺の等距離の位置においてハブ１２２から径方向外側に延びる。それぞれの支持リブ１２４は対応する連結ジョイント１３０を通じてハブ１２２に取り付けられる。ジョイント１３０は収容された位置（たとえば支持リブ１２４が支持アセンブリ１４０の軸にほぼ平行な方向に、あるいは支持アセンブリ１４０の軸に対して比較的小さな角度で延びるよう）と展開された位置（たとえば支持リブ１２４が支持アセンブリ１４０の軸に対して一定角度で、あるいは収容された位置と比べて支持アセンブリ１４０の軸に対して比較的大きな角度で延びるよう）との間でハブ１２２に対して支持リブ１２４の旋回を許容する。ジョイント１３０はピボット、ヒンジ、ボールおよびソケット、サドル、あるいは支持リブ１２４が収容された位置と展開された位置との間での旋回を許容する他の連結機構でもよい。図１Ａおよび図１Ｂに示されたように、支持リブ１２４が展開位置にあるとき、それぞれの支持リブ１２４は下側に垂れ、弧または湾曲を形成する。
【００１９】
シート１２６は天蓋アセンブリの下の領域１６０を保護する。シート１２６はそれぞれの支持リブ１２４に取り付けられ、隣接する支持リブの間に延びる。支持リブ１２４が収容された位置にあるとき、シート１２６はそれぞれの支持リブ１２４からゆるくかけられる。支持リブ１２４が展開位置に延ばされたとき、シート１２６は支持リブ１２４とともに延び、支持リブ１２４の間で強く引かれ、天蓋アセンブリの下の領域１６０をたとえば雨または日光から保護する。シート１２６はたとえば雨を遮蔽する素材（たとえばポリエチレンテレフタレートまたは伸縮可能なナイロン）などの要素に対して弾性の１または複数の素材で構成される。いくつかの実装において、シート１２６は日光遮蔽のために不透明である。
【００２０】
空気袋１２８は支持リブ１２４を収容された位置と展開された位置との間で制御可能に旋回するためのおよび／または展開された位置において支持リブを支持するための機構をもたらす。空気袋１２８は概ね環状の形状で、シート１２６の下側に沿って支持アセンブリ１２０の周りに位置づけられる。空気袋１２８は実質的に気密で、外部環境に対して圧迫されまたは圧縮されて内部体積が空気で満たされるよう完全にまたは部分的に膨らまされる。空気袋はそのような圧縮された空気を解放することにより空気が抜かれることができる。空気を抜かれたとき、空気袋１２８は実質的に硬い形状を有さず、支持リブ１２４はハブ１２２から支持アセンブリ１４０に実質的に平行な方向に（あるいは支持アセンブリ１４０に対して比較的小さな角度で）垂れる。部分的に膨らまされたとき、空気袋１２８は硬さを増し、支持アセンブリ１４０の周りで大きくなる。
【００２１】
空気袋１２８が支持リブ１２４を制御可能に旋回する機構を提供する傘において、大きくなる空気袋１２８は支持リブ１２４と接触し、空気袋１２８が膨らむにつれて支持リブ１２４を支持アセンブリ１４０から遠ざけて押す。この力は支持リブ１２４をジョイント１３０において、支持アセンブリ１４０に対して次第に大きくなる角度で支持リブ１２４を延ばすハブ１２２に対する旋回を生じる。空気袋１２８が膨らみ続けるにつれて、支持リブ１２４は、支持リブ１２４が完全に展開された位置まで、さらにさらに外側に押される。それぞれの支持リブは一端上で中心ハブにより、他端上で天蓋の最外直径３６０度周辺にわたって固定された長さの織物により支持される。天蓋はリブが対照的なパターンに位置するよう縫われ、その動きを限定する。空気袋により圧力がかかったとき、それぞれのリブ部をリブの２つの固定端の間で押し、リブを弧に傾け、湾曲した天蓋構造を創出し天蓋を締め付ける。完全に展開された位置（たとえば図１Ａおよび図１Ｂに示されるように）において、シート１２６は支持リブ１２４の間で強く引かれ、保護的な天蓋を形成する。シート４０２は支持リブ１２４の間で強く引かれ、対照的な天蓋を傘の中心軸に対して垂直にとどまるよう付勢する構造的な保持を形成する。空気袋１２８は、その内部に圧縮される空気の量に依存して傘形状の様々な程度の硬さを有することができる。
【００２２】
いくつかのケースにおいて、支持リブ１２４の動く範囲は完全に展開された位置を超えて延びないよう限定される。たとえば、いくつかの傘は支持リブ１２４の動きの範囲を限定するジョイント１３０（たとえば限定された関節範囲を有するジョイント１３０）を含む。他の例として、そのような傘は、支持リブ１２４の動きの範囲を限定する、支持リブ１２４に取り付けられたスタビライザを含む。スタビライザは以下により詳細に議論される。
【００２３】
空気袋１２８はその内部に圧縮された空気の量に依存して様々な程度の硬さを有することができる。空気袋１２８は支持リブを展開位置に向けて付勢する。いくつかの傘はたとえばばねなどの他のオープン機構を含みオープン機構によって支持リブが位置づけられた後、展開位置において支持リブの維持を補助するために空気袋１２８を用いる。
【００２４】
空気袋１２８の大きさと空気袋１２８に含まれた空気圧は１またはそれ以上の因子を基に変えることができる。たとえば、大きさおよび／または圧力の異なる空気袋は異なる硬さを有し、シート１２６の湾曲に影響を与え得る。そのようにして、空気袋の大きさ（たとえば空気袋の内側および外側直径）および／またはその内部に含まれる空気圧は傘１００の望ましい物質特性に応じて変化させることができる。いくつかのケースにおいて、たとえば膨らませるおよび空気を抜くスピードを増すために、小さい直径と低い空気圧が使用される。例として、約４０センチメートルの直径の傘を支持するために、いくつかの空気袋は約８インチ（たとえば８から９インチの間）の外側直径と、膨らまされたときに５から１５ｐｓｉの間の空気圧を有する。実際には、他の大きさや空気圧もまた可能である。
【００２５】
ポンプ１４２は空気袋に結合され傘１００の外部から（たとえば外部環境から）空気袋１２８内へ空気を圧縮するために操作可能である。ポンプ１４２はポンプ１４２と空気袋１２８との間を空気が移動するための気密なチャネルを提供するチューブ１４６を通じて空気袋１２８に結合される。傘１００において、チューブ１４６は支持アセンブリ１４０の上側部に沿って位置づけられ、ポンプ１４２の操作中、空気はチューブ１４６を通じてポンプ１４２から上側に移動し、空気袋１２８に入る。傘１００において、ポンプ１４２は使用者が手動で内部ピストンを回したとき（たとえば適当なハンドルを用いて）環状空気袋内に空気を駆動する。ポンプ１４２はまた空気が空気袋１２８から退避するのを防止するバルブ（一方バルブまたはチェックバルブ）を含む。バルブは解放可能で、空気袋１２８内に含まれた空気は空気袋１２８から制御可能に解放されることができる。いくつかのケースにおいて、ポンプ１４２はその内部の空気圧が特定のしきい値（たとえば２０ｐｓｉ）を超えるとき空気袋から自動的に空気を解放するバルブを含む。ポンプは以下で詳細に議論される。
【００２６】
ハンドル１４４は使用者のためのグリップ面として作用する。ハンドル１４４は支持アセンブリ１４０の低位部に沿って位置づけられる。いくつかの傘において、ハンドル１４４はポンプ１４２と統合され、使用者は傘の展開中（たとえばポンプ１４２を回し空気袋１２８を膨らませる）にポンプ１４２を操作するために、および展開の前後に傘を握るためにハンドル１４４を使用することができる。いくつかのケースにおいて、ハンドル１４４はポンプ１４２から分離され、使用者は使用中に傘１００を位置づけるためにハンドル１４４を握り、その操作中に別々にポンプ１４２を握る。
【００２７】
傘１００の使用例において、傘は最初は収容された位置にある。収容された位置において、支持リブ１２４は支持アセンブリ１４０に実質的に平行で（または支持アセンブリ１４０に対して比較的小さな角度で）、シート１２６は支持リブ１２４から緩く垂れる。使用者はハンドル１４４を用いてポンプ１４２を回すことにより天蓋アセンブリを展開し（たとえば交互に、ハンドル１４４をポンプ１４２に向けて押し、ハンドル１４４をポンプ１４２から引く）、チューブ１４６を通じて、ポンプ１４２と空気袋１２８に空気を駆動する。空気袋１２８が膨らむにつれて、空気袋１２８は拡張し、支持リブ１２４を外側に押し、ジョイント１３０の周りで支持アセンブリ１４０から外側に旋回する。完全に展開された位置において、シート１２６は支持リブ１２４の間で強く引かれ、保護的な天蓋を形成する。望ましければ、使用者は追加的な空気を空気袋１２８内に駆動し続け、空気袋１２８の硬さを増し、展開された形状において傘１００をさらに強化する。使用者はその後ハンドル１４４により傘１００を握り、傘１００を望ましく位置づける。展開されたとき、シート１２６は要素に対して保護的な防御を使用者にもたらす。たとえば、使用者は保護された領域１６０内に彼の体を位置づけ、雨および／または日光から自身を防御することができる。傘１００は携帯可能であるので、使用者は歩行中に傘を運び、移動中にも保護されることができる。傘１００の使用が終わったとき、使用者はポンプ１４２のバルブを解放し、空気袋１２８から空気を解放する。空気袋１２８が空気を抜かれると、傘１００は収容された形状に戻る。
【００２８】
図２は傘１００が展開された形状のときのハブ１２２、支持リブ１２４、空気袋１２８およびジョイント１３０の詳細図を示す。以上に説明されたように、ハブ１２２は天蓋アセンブリの構成要素（たとえば支持リブ１２４と空気袋１２８）の中心取付ポイントを提供し、天蓋アセンブリ１２０と支持アセンブリ１４０とを互いに取り付ける。ハブ１２２は概ね環状の形状で、その中心を通じるチャネル２０２を規定する。チャネル２０２は支持アセンブリ上の対応する構造（たとえば支持アセンブリ１４０の上端から延びるくぎピン、または画鋲）を係合し、ハブ１２２は支持アセンブリ１４０の頂上に固定される。
【００２９】
以上に説明されたように、いくつかの支持リブ１２４はジョイント１３０を通じてハブ１２２に取り付けられる。ジョイント１３０は蝶番のジョイントでそれぞれの支持リブをハブ１２２に対して１度の自由度を有して旋回を許容する。また図２に示されたように、それぞれの支持リブ１２４はハブ１２２の外側外縁の周りにほぼ等距離の位置においてハブ１２２から径方向外側に延びる。
【００３０】
以上に説明されたように、空気袋１２８は支持リブ１２４を収容された位置と展開された位置との間で制御可能に旋回するための機構を提供する。図２に示されたように、傘１００が典型された形状で空気袋１２８が膨らまされたとき、空気袋１２８はそれぞれの支持リブ１２４と（たとえばポイント２０６において）接触し、展開された位置において支持リブ１２４を支持する。この例において、空気袋１２８は膨らまされたとき概ね環状で、ハブ１２２のやや下に位置づけられる。
【００３１】
空気袋１２８はハブ１２２に取り付けられ、空気袋１２８とハブ１２２は空気袋１２８が空気を抜かれても膨らまされても結合したままである。空気袋１２８はいくつかの支持ストラップ２０４を通じてハブ１２２に取り付けられ、支持ストラップ２０４は空気袋１２８とハブ１２２との間に延びる。いくつかの傘において、支持ストラップ２０４はハブ１２２の上側表面から空気袋１２８の下側面に延びる。この配列において、空気袋１２８は膨らまされたとき上に引かれ（たとえば矢２０８の方向に）、支持リブ１２４の下側に力を適用する。これは保護的な天蓋の硬さを増し、いくつかのケースにおいて、保護的な天蓋の湾曲も増す。さらに、この配列において、空気袋１２８は膨らまされたときに回転する（たとえばポイント２０６において）。空気袋１２８もまたシート１２６に固定されたならば（たとえばポイント２０６において）、この回転はそれぞれの支持リブ１２４に外側への力を適用し（たとえば矢２１２の方向に）、保護的な天蓋の硬さをさらに増す。
【００３２】
以上に示され説明されているけれども、傘１００は単に説明のための例である。実際は、傘１００から形状において変化する。たとえば、傘１００は展開された位置にあるときに一定の角度垂れるまたは弧を描く支持リブ１２４を有する。実際は、支持リブ１２４は実装に「応じてより大きくまたはより小さく垂れることができる。いくつかの傘において、支持リブ１２４は図１Ａおよび図１Ｂに示されたよりも大きな程度垂れ、展開されたときにより深い天蓋アセンブリ１２０を規定する。いくつかの傘において、支持リブ１２４は図１Ａおよび図１Ｂよりも小さな程度垂れ、展開されたとき平坦な天蓋アセンブリを規定する。いくつかの傘において、支持リブ１２４は全く垂れず、ハブ１２２から実質的に直線方向に延びる。
【００３３】
他の例として、天蓋アセンブリの全体的な形状はまた変化することができる。たとえば、展開された形状のときに、傘１００は湾曲した天蓋（たとえば略半球状のセクターの面に近づける）を規定するリブ１２４とシート１２６を有して示される。いくつかの傘において、支持リブ１２４とシート１２６は異なる表面配列を有する天蓋を規定し、その例は円錐状の面、ピラミッド状の面または任意の対称または非対称の面である。
【００３４】
他の例として、傘１００は展開された形状であるときにハブ１２２から支持アセンブリ１４０の突起にほぼ垂直に延びる支持リブ１２４を有して示される。実際は、支持リブ１２４が展開された形状にあるとき、支持リブ１２４はハブ１２２から示されたよりも大きなまたは小さな程度伸びることができる。たとえば、いくつかの傘において、支持リブ１２４が展開された形状にあるとき、支持リブ１２４はハブ１２２から９０°よりも小さい角度（たとえば６０°、７０°、８０°）または９０°よりも大きい角度（たとえば１００、１２０°あるいはそれ以上）延びる。
【００３５】
他の例として、傘１００は異なる数の支持リブ１２４を有し得る。たとえば、図２は８つの支持リブ１２４を示す。いくつかの傘はより少ない支持リブ１２３（たとえば４、５、６または７）を有しいくつかはより多い支持リブ（たとえば９、１０、１１、１２あるいはそれ以上）を有する。傘はまた異なる数の支持ストラップ２０４を有し得る。たとえば、図２は８つの支持ストラップ２０４を示す。いくつかの傘はより少ない支持ストラップ（たとえば４、５、６、７または８）を有し、いくつかの傘はより多くの支持ストラップ２０４（たとえば９、１０、１１、１２あるいはそれ以上）を有する。
【００３６】
図２はジョイント１３０の少し上の位置でハブ１２２に取り付けられた支持ストラップ２０４を示す。実際は、ハブ１２２の形状および位置は異なることができ、支持ストラップ２０４はジョイント１３０に対して異なるポイントでハブ１２２に取り付け可能である。たとえば、図３Ａは比較的薄いハブ１２２を示し、支持ストラップ２０４はジョイント１３０とほぼ同じ高さのポイント３０２においてハブ１２２に取り付けられる。対照的に、図３Ｂは比較的厚いハブ１２２を示し、支持ストラップ２０４はシート１２６を通過し（たとえばシート１２６の隙間または小穴を通じて）実質的にジョイント１３０より上のポイント３０２においてハブ１２２に取り付けられる。図３Ｃはシート１２６を通過する（たとえばシート１２６の隙間または小穴を通じて）支持ストラップ２０４を示し、シート１２６を通過したあと傾き、実質的にジョイント１３０より上のポイント３０２においてハブ１２２に取り付けられる。いくつかの傘において、支持ストラップ２０４を固定するためにキャップはハブ１２２の上にハブ１２２は支持アセンブリ１４０に取り付けられる。
【００３７】
以上に議論されたように、いくつかの傘は支持リブ１２４に取り付けられたスタビライザを含み、支持リブ１２４の動く範囲を制限する。いくつかのケースにおいて、スタビライザ４０２は支持リブ１２４と支持アセンブリ１４０の間に延びるシートである。図４Ａおよび図４Ｂはそれぞれの支持リブ１２４のポイント４０４においてシート１２６の下側に沿って取り付けられたスタビライザ４０２を示す。傘１００が展開されたとき、スタビライザ４０２はそれぞれのポイント４０４と支持アセンブリ１４０にわたって強く引かれ、支持リブ１２４を支持アセンブリ１４０に対してさらに旋回することを制限する。この追加的な取り付けポイントは支持リブ１２４が支持アセンブリ１４０に対してさらに旋回するのをさらに制限し、天蓋に外部力が行使されたときに傘１００の安定性を増す。支持リブ１２４の動きの範囲を制限することに加えて、スタビライザ４０２はまたハブ１２２を覆う。これはハブ１２２を損傷から守り、ハブ１２２を視界から隠してより審美的に好ましい外見をもたらす。
【００３８】
スタビライザ４０２はたとえば、支持リブ１２４が支持アセンブリ１４０の突起に対して特定の角度を超えた旋回を防止するために使用可能である。たとえば、スタビライザは支持リブ１２４を空気袋１２８の過膨張によるまたは外部力（たとえば傘１００の下側への風の吹付）による過旋回を防止可能である。このような方法で、展開されたとき、天蓋アセンブリ１２０の形状は使用者による誤使用、厳しい天候および／または他の外部力にも関わらず保存される。いくつかのケースにおいて、スタビライザ４０２は可撓で、つぶすことができ、あるいは折りたたみ可能で、傘が閉まるにつれて折りたたまれ、ぺしゃんこにされ、あるいはつぶされる。
【００３９】
いくつかのケースにおいて、スタビライザ４０２は支持アセンブリ１４０のシャフトに沿って移動可能なスタビライザ取付（たとえば筒状リング）を通じて支持アセンブリ１４０に取り付けられる。これは使用者にスタビライザ取付上で下側に引くことにより保護的な天蓋を部分的につぶすことを許容する。スタビライザ取付が支持アセンブリ１４０に沿って下側に動くにつれて、スタビライザ４０２は支持リブ１２４をその展開位置から引く。使用者はスタビライザ取付上で支持リブ１２４が支持アセンブリ１４０のシャフトと平行になるまで下側に引き続け、これにより保護的な天蓋をつぶす。逆に、傘１００が展開されるにつれて、スタビライザ取付は支持リブ１２４およびスタビライザ４０２によって支持アセンブリ１４０のシャフトに沿って上側に引かれる。スタビライザ取付は傘が完全に展開されるか、いくつかのケースにおいては、スタビライザ取付が上側にさらに動くことが制限される（たとえばスタビライザ取付の支持アセンブリ１４０に対するさらなる上側への動きを防止する遮蔽要素に接触するまで）まで動き続ける。
【００４０】
図４Ａおよび図４Ｂは傘１００が展開された位置にあるとき実質的に平坦なスタビライザ４０２を示す。しかしながら、この必要はケースによる。たとえば、図５Ａおよび図５Ｂはシート１２６の下側に沿ってそれぞれの支持リブ１２４上でポイント４０４に取り付けられたスタビライザ４０２を有する傘１００を示す。傘１００が展開されたとき、スタビライザはまたそれぞれのポイント４０４にわたって強く引かれ、支持リブ１２４を支持アセンブリ１４０に対してさらに旋回するのを制限する。しかしながら、スタビライザはまた実質的にポイント４０４の下のポイント４０６において支持アセンブリ４０６に取り付けられる。こうして、スタビライザ４０２がポイント４０４および４０６にわたって強くひかれたとき、スタビライザは実質的に平坦ではない。スタビライザ４０２の他の配列もまた、実装に依存して可能である。
【００４１】
以上に説明された例において、空気袋１２８はシート１２６の下側に沿って位置づけられ、空気袋が膨らまされたとき、空気袋１２８は支持リブ１２４を支持アセンブリ１４０から離れるよう押す。いくつかの傘において、空気袋１２８は代わりにシート１２６の上側に沿って位置づけられる。たとえば、図６Ａおよび図６Ｂに示されるように、空気袋１２８はシートを通過する（たとえばシート１２６内の隙間または小穴６０４を通じて）一連の支持ストラップ６０２によりそれぞれの支持リブ１２４に取り付けられる。この実装において、ハブ１２２はまたシート１２６の上側に位置づけられ、支持ストラップ２０４を通じて空気袋１２８に取り付けられる。
【００４２】
この例において、空気袋の空気が抜かれたとき、空気袋１２８は実質的に硬い形態を有しておらず、支持リブ１２４は実質的に支持アセンブリ１４０に平行な方向（または支持アセンブリ１４０に対して比較的小さな角度で）にハブ１２２から垂れる。部分的に膨らまされたとき、空気袋１２８は硬さを増し、支持アセンブリ１４０の周りで大きくなる。空気袋１２８が膨らむにつれて、大きくなる空気袋１２８は支持リブ１２４を支持アセンブリ１４０から引く。この引く力は支持リブ１２４を、支持アセンブリ１４０に対してある角度で支持リブ１２４を拡張するハブ１２２に対するジョイント１３０における旋回を生じる。空気袋１２８が膨らみ続けるにつれて、支持リブ１２４は、支持リブ１２４が完全に展開された位置までさらにさらに外側に引かれる。完全に展開された位置において（たとえば図６Ａおよび図６Ｂに示されたように）、シート１２６は支持リブ１２４の間で強く引かれ、保護的な天蓋を形成する。この例において、傘１００はまた支持リブ１２４にわたって強く引かれるスタビライザ４０２を含み、支持リブ１２４がハブ１２２および支持アセンブリ１４０に対してさらに旋回するのを防止する。
【００４３】
傘１００は以上の例において、環状の空気袋１２８を有して示されるけれども、いくつかの傘１００は直線ビームや湾曲ビームなど他の形状に膨らまされる空気袋を有する。複数の直線に膨らまされた部を有する傘１００’は図７Ａおよび図７Ｂに示される。傘１００’は天蓋アセンブリ１２０と支持アセンブリ１４０とを有する。天蓋アセンブリ１２０はハブ１２２、いくつかの支持リブ１２４、シート１２６およびいくつかの空気袋１２８を含む。支持アセンブリ１４０はポンプ１４２とハンドル１４４を含む。
【００４４】
以上のように、ハブ１２２は天蓋アセンブリ１２０の構成要素ための中心取付ポイントを提供し、天蓋アセンブリ１２０と支持アセンブリ１４０を互いに取り付ける。図８Ａおよび図８Ｂは対応するスクリューねじ８０２および８０４を通じて支持アセンブリ１４０の上部に固定されたハブ１２２を示す。ハブ１２２はいくつかの底アパーチャ８０６といくつかの側面アパーチャ８０８を含む。それぞれの底アパーチャ８０６は内部チャネル８１０により側面アパーチャ８０８に結合され、それぞれの底アパーチャ８０６と対応する側面アパーチャ８０８の気密な通路を規定する。
【００４５】
支持リブ１２４は天蓋アセンブリのための構造的なサポートを提供する。それぞれの支持リブ１２４は一端上でハブ１２２に取り付けられたロッドまたはストリップであり、ハブ１２２から径方向外側に延びる。それぞれの支持リブ１２４はスクリュー８１２を通じてハブ１２２に取り付けられる。支持リブ１２４は可撓で、収容された位置（たとえば支持リブ１２４が支持アセンブリ１４０の突起にほぼ平行に延びるよう）と展開された位置（たとえば支持リブ１２４が支持アセンブリ１４０の突起に対して９０°などの特定の角度で傾斜するよう）との間で傾き得る。図７Ａおよび図７Ｂに示されたように、支持リブ１２４が展開位置にあるとき、それぞれの支持リブ１２４は弧または湾曲を形成して下側に垂れる。
【００４６】
シート１２６は天蓋アセンブリの下の保護的な領域１６０を提供する。いくつかの実装において、シート１２６は以上に述べた例と同様である。たとえば、シート１２６はそれぞれの支持リブ１２４に取り付けられることができ、隣接する支持リブ１２４の間に延びる。支持リブ１２４が収容された位置にあるとき、シート１２６はそれぞれの支持リブ１２４からゆるく垂れる。支持リブ１２４が展開された位置に延びたとき、シート１２６は支持リブ１２４と共に延び、支持リブ１２４の間で強く引かれ、天蓋アセンブリの下で保護的な領域１６０を形成する。
【００４７】
空気袋１２８は収容された位置と展開された位置との間で傘１００’を制御可能に調節するための機構を提供する。それぞれの空気袋１２８は概ね狭いビームの形状であり、ハブ１２２の対応する側面アパーチャ８０８に取り付けられる。それぞれの空気袋１２８はまた支持リブ１２４に取り付けられ、シート１２６の中心から径方向外側にシート１２６の下側に沿って延びる。空気袋１２８は実質的に気密であり、その内部容積が外部環境に対して圧迫されたまたは圧縮された空気で満たされるよう完全にまたは部分的に膨らまされるか、その内部容積が圧縮空気を含まないよう空気を抜かれる。空気を抜かれたとき、空気袋１２８は実質的に硬い形状を有さず、支持リブ１２４はハブ１２２から支持アセンブリ１４０と実質的に平行な方向に垂れる。傘１００’は膨らまされたシート１２６の垂直方向の安定性をもたらし支持アセンブリ１４０はアパーチャ８０８が支持アセンブリ１４０に固く取り付けられるにつれて安定シート４０２なしで達成され、支持アセンブリ１４０に対して（たとえばハンドルのシャフト）シート１２６の動きに抵抗する。いくつかのケースにおいて、支持アセンブリ１４０とハブ１２２の間の接続は傘１００’が外部の力（たとえば風）に抵抗するのを許容する。いくつかのケースにおいて、スタビライザ４０２は、傘がつぶれるにつれて折り畳まれあるいはくずされるよう可撓で、つぶれることができ、あるいは折り畳み可能である。いくつかのケースにおいて、空気袋１２８は傘が閉じられるにつれて折り畳まれ、くずされ、あるいはつぶされるよう可撓で、つぶすことができ、あるいは折り畳み可能である。
【００４８】
部分的に膨らまされたとき、空気袋１２８は硬さを増す。空気袋１２８が膨らまされるにつれて、大きくなる空気袋１２８は支持リブ１２４を支持アセンブリ１４０から離れるよう押す。この押す力は支持リブ１２４の支持アセンブリ１４０に対する一定角度での拡張を生じる。空気袋１２８が膨らみ続けるにつれて、支持リブ１２４は、支持リブ１２４が完全に展開された位置までさらにさらに外側に押される。完全に展開された位置（たとえば図７Ａおよび図７Ｂに示されたように）、シート１２６は支持リブ１２４の間で強く引かれ、保護的な天蓋を形成する。空気袋１２８は、その内部に圧縮された空気の量に応じてそれぞれ様々な程度の硬さを有することができる。そのように、傘１００’の硬さは空気袋１２８内により多くまたは少ない空気を駆動することにより変化させることができる。
【００４９】
ポンプ１４２は空気袋１２８に結合され傘１００’の外部（たとえば外部環境）から空気袋１２８内への空気のポンプ注入を許容する。以上に説明されたように、ポンプ１４２は、ポンプ１４２とそれぞれの空気袋１２８の間で空気のための気密なチャネルを提供する下側アパーチャ８０６、内部チャネル８１０および側面アパーチャ８０８によって規定されたチャネルを通じて空気袋１２８に結合可能である。ポンプ１４２は以上に述べたポンプと同様であり得る。たとえば、いくつかの実装において、ポンプ１４２は使用者が手動で内部ピストンを回転させたとき（たとえば適切なハンドルを用いて）空気袋１２８内に空気を駆動するピストンポンプである。ポンプ１４２はまた空気が空気袋１２８から退避するのを防止するそれぞれの下アパーチャに取り付けられたいくつかのバルブ（たとえば一方バルブまたはチェックバルブ）を含む。バルブは、空気袋１２８内に含まれた空気が制御可能に空気袋１２８から解放されるよう解放可能である。いくつかのケースにおいて、ポンプ１４２は内部の気圧が特定のしきい値（たとえば２０ｐｓｉ）を超えたとき、空気袋１２８から空気を自動的に開放するバルブを含む。ポンプは以下により詳細に議論される。
【００５０】
ハンドル１４４は使用者のための握り面として作用する。いくつかの実装において、ハンドル１４４は以上に説明されたハンドルと同様である。たとえば、図７Ａおよび図７Ｂは支持アセンブリ１４０の低位部に沿って位置づけられたハンドル１４４を示す。いくつかの実装において、ハンドル１４４はポンプ１４２と統合され、使用者は傘の展開中にポンプ１４２に作用させるために（たとえばポンプ１４２を回転し空気袋１２８を膨らませる）、また展開の前後に傘を握るためにハンドル１４４を使用可能である。
【００５１】
傘１００’の例示的な使用において、傘１００は最初は収容された位置にある。収容された位置において、支持リブ１２４は実質的に支持アセンブリ１４０に対して平行であり、シート１２６は支持リブ１２４から緩く垂れる。使用者は天蓋アセンブリをハンドルを用いてポンプを回転させて（たとえばハンドル１４４を交互にポンプ１４２に向かって押しハンドル１４４をポンプ１４２から引く）展開し、ポンプ１４２とそれぞれの空気袋１２８内に空気を駆動する。空気袋１２８が膨らむにつれて、空気袋１２８は広がり、支持リブ１２４を支持アセンブリ１４０から外側に押す。完全に展開された位置において、シート１２６は支持リブ１２４から強く引かれ、保護的な天蓋を形成する。望ましければ、使用者は空気袋１２８内にさらなる空気を駆動し続けて空気袋１２８の硬さを増し、展開された形状において傘１００’をさらに強化する。使用者はその後ハンドル１４４によって傘１００’を握り、傘１００’を望ましく位置づける。展開されたとき、シート１２６は要素に対する保護的な防御を使用者にもたらす。たとえば、使用者はその体を保護的な領域１６０内に位置づけて雨および／または日光から防御できる。傘１００’は携帯可能なので、使用者は歩行にあたって傘１００’を運搬可能であり、移動中も保護され続けることができる。使用者が傘１００’の使用を終了したとき、使用者はポンプ１４２のバルブを解放し、空気袋１２８から空気を解放する。空気袋１２８から空気が抜かれると、傘１００’は収容された形状に戻る。
【００５２】
図７Ａ、図７Ｂ、図８Ａおよび図８Ｂは複数の直線の膨らませることのできる部分を有する傘の例を示すけれども、これらは単に説明的な例である。実施は、傘は以上に示されたものとは異なり得る。たとえば、図８Ａおよび図８Ｂは複数の対応する側面アパーチャ８０８と底アパーチャ８０６を有するハブ１２２を示し、ポンプ１４２からの空気は個別に規定されたチャネルを通じてそれぞれの空気袋１２８内に駆動される。いくつかの実装において、ハブ１２２は代わりに側面アパーチャより少ない底アパーチャ８０６を有する。たとえば、図９は複数の側面アパーチャ８０８に結合された１つのみの底アパーチャ８０６を有するハブ１２２を示す。ポンプ１４２は底アパーチャ８０６に結合され空気袋１２８はそれぞれの側面アパーチャ８０８に結合されて、ポンプ１４２の操作中に、空気はポンプ１４２から上側へそしてそれぞれの空気袋内に移動する。ここで示された例において、ハブ１２２はまた空気が空気袋１２８から退避するのを防止するバルブ９０２を含む。バルブ９０２は解放可能で、空気袋１２８内に含まれた空気は空気袋１２８から制御可能に解放される。いくつかの傘において、バルブ９０２はポンプ１４２のまたは複数のバルブに置き換えることができ、１つのみのバルブが空気袋１２８からのまたは空気袋１２８への空気の流れを制御する必要がある。
【００５３】
いくつかの実装において、天蓋アセンブリ１２０形状は以上に説明された例から変化させることができる。たとえば、図１０は天蓋アセンブリ１２０がシート１２６と空気袋１２８によって規定された概ねピラミッド形状を有する傘１００’’を示す。実際は、天蓋アセンブリのための他の形状もまた可能である。
【００５４】
空気袋１２８の形状は以上に説明された例から変化させることができる。たとえば、図１０は湾曲し、それぞれ螺旋の部分を形成する空気袋１２８を示す。実際は、空気袋１２８の他の形状もまた可能である。
【００５５】
すべての傘が支持リブ１２４を含むわけではない。たとえば、図１１は天蓋アセンブリ１２０が支持リブを含まず、シート１２６は代わりにそれぞれの空気袋１２８に取り付けられた傘１００’’’を示す。空気袋１２８が膨らまされたとき、シート１２６は空気袋１２８の間で強く引かれ、保護的な天蓋を形成する。いくつかの環境において、支持リブを有さない傘は支持リブを有する傘よりもより弾力的で、風または他の固有の損傷外力に対してより弾力的である。
【００５６】
いくつかの傘において（たとえば図７Ａおよび図７Ｂに示された傘１００’）、傘袋１２８はシート１２６の周辺に完全に延びるわけではない。対照的に、図１１はシート１２６の周辺に完全に延びた空気袋１２８を示す。さらに、空気袋１２８は直線でなくてもよく、湾曲していてもよい。たとえば、図１１は湾曲した形状の天蓋アセンブリ１２０を提供するために湾曲した空気袋を示す。実際は、異なる形状および大きさを有する点がアセンブリを提供するために空気袋１２８は形状、大きさ、および／または配列を変化させることができる。
【００５７】
以上に説明されたように、傘（たとえば傘１００、１００’、１００’’または１００’’’）は傘の外部から１または複数の空気袋内に空気を圧縮するために操作可能なポンプ１４２を含む。実際は、ポンプ１４２は実装に応じて異なる配列を有し得る。
【００５８】
例として、ポンプ１４２’は図１２Ａに概念的に示される。ポンプ１４２’はハンドル１２０２、シャフトチャンバ封止１２０４、ポンプチャンバ１２０６、シャフトチャンバ１２０８、ホース１２１０およびチェックバルブ１２１２ａ〜ｆを含む。
【００５９】
ポンプチャンバ１２０６、シャフトチャンバ１２０８、およびホース１２１０は内部接続され（すなわち互いに流体接続され）、空気がその間を流れることができる。ホース１２１０は順に、空気袋１２８に接続され、ポンプチャンバ１２０６、シャフトチャンバ１２０８およびホース１２１０からの空気は空気袋１２８内に圧縮される。
【００６０】
ポンプ１７２への、ポンプからの、およびポンプ内の空気の流れはチェックバルブ１２１２ａ〜ｆによって規制される。チェックバルブ１２１２ａおよび１２１２ｂはポンプチャンバ１２０６の対向端部に位置づけられ、ポンプ１４２’の外部からポンプチャンバ１２０６への空気の動きを規制する。チェックバルブ１２１２ｂおよび１２１２ｃはそれぞれポンプチャンバ１２０６とシャフトチャンバ１２０８の間に位置づけられ、ポンプチャンバ１２０６とシャフトチャンバ１２０８の間の空気の流れを規制する。チェックバルブ１２１２ｅはシャフトチャンバ１２０８とホース１２１０の間に位置づけられ、シャフトチャンバ１２０８とホース１２１０の間の空気の流れを規制する。チェックバルブ１２１２ｆはシャフトチャンバ１２０８の端部に位置づけられ、ポンプ１４２’の外部からシャフト１２０８とホース１２１０内への背後の動きを規制する。
【００６１】
図１２Ａに示されるように、ポンプ１４２’が空気を抜かれた状態のとき、チェックバルブ１２１２ａ〜ｅはそれぞれ閉じられ、チェックバルブ１２１２ｆは開かれる。こうして、ポンプチャンバ１２０６はチェックバルブ１２１２ａ〜ｄによって封止され、シャフトチャンバ１２０８はシャフトチャンバ封止およびチェックバルブ１２１２ａ〜ｅによって封止される。
【００６２】
図１２Ｂに示されるように、使用者はハンドル１２０２を矢１２１４の方向に引くことによりポンプ１４２’を操作する。それに応じて、チェックバルブ１２１２ｂ、１２１２ｃおよび１２１２ｅは開く一方、チェックバルブ１２１２ａ、１２１２ｄおよび１２１２ｆは閉まる（あるいは閉じたまま）。結果として、ポンプチャンバ１２０６内のチェックバルブ１２１２ａと１２１２ｃとの間の空気はチェックバルブ１２１２ｃを通じてシャフトチャンバ１２０８内とホース１２１０内に押し進められる。結果として、空気は空気袋１２８内で圧縮される。さらに、ポンプ１４２’外部からの空気はチェックバルブ１２１２ｂを通じてポンプチャンバ１２０６内に引かれる。チェックバルブ１２１２ｄは閉じられ、空気はシャフトチャンバ１２０８内に流れることができない。
【００６３】
図１２Ｃに示されたように、使用者は後に１２０２を矢印１２１６の方向に押すことによりポンプ１４２’を操作し続ける。回答において、チェックバルブ１２１２ａ、１２１２ｄおよび１２１２ｅは開く一方、チェックバルブ１２１２ｂ、１２１２ｃおよび１２１２ｆは閉じる（あるいは閉じたまま）。結果として、ポンプチャンバ１２０６内のチェックバルブ１２１２ｂと１２１２ｄとの間の空気はチェックバルブ１２１２ｄを通じてシャフトチャンバ１２０８内およびホース１２１０内へ押し進められる。結果として、空気は空気袋内に圧縮される。さらに、ポンプ１４２’外部から引かれた空気はチェックバルブ１２１２ａを通じてポンプチャンバ１２０６内へ引かれる。チェックバルブ１２１２ｃが閉じるにつれて、空気はシャフトチャンバ１２０８に流れることができない。
【００６４】
使用者は交互に矢１２１４の方向に外側にハンドル１２０２を引き、矢１２１６の方向に内側にハンドル１２０２を押して、空気袋１２８内により多くの空気を圧縮しこれにより空気袋１２８を膨らませて傘を展開する。図１２Ｄに示されたように、ポンプ１４２’が完全に展開された状態において、チェックバルブ１２１２ａ〜ｆはそれぞれ閉じられ、これによりポンプ１２４’と空気袋１２８内に含まれた空気を封止する。
【００６５】
傘を収容するために、使用者は、チェックバルブ１２１２ｆを開くようポンプ１４２’を操作することができる。図１２Ｅに示されたように、チェックバルブ１２１２ｆが開いたとき、空気袋１２８からの圧縮された空気はホース１２１０を通じてポンプ１４２’の外側に退避される。結果として、空気袋１２８は空気を抜かれ、これにより傘を収容形状につぶす。使用者は、たとえば、チェックバルブ１２１２ｆを開閉位置の間で切り替えるよう設計されたボタン、レバー、またはスイッチを使用してチェックバルブ１２１２ｆを操作可能である。
【００６６】
ハンドル１２０２、シャフトチャンバ封止１２０４、ポンプチャンバ１２０６、シャフトチャンバ１２０８、ホース１２１０、チェックバルブ１２１２ａ〜ｆの配列の例が示されているけれども、これは単に説明的な例である。実際は、構成要素の物理的な配列は実装に応じて変化させることができる。例として、いくつかのケースにおいて、１またはそれ以上のチェックバルブ１２１２ａ〜ｆは図１２Ａ〜Ｅに示されたのとはポンプ１４２’の異なるポイントに沿って位置づけられる。
【００６７】
さらに、空気解放機構の例が上に示されているけれども、これも単に説明的な例である。実際は、ポンプは使用者が空気袋１２８から空気を選択的に開放することを許容する様々な形状を有することができる。説明的な例として、図１３Ａは図１２Ａ〜Ｅに示された形状と概ね同様の形状を有するポンプ１４２’’を示す。このケースにおいて、しかしながら、ポンプ１４２’’はシャフトチャンバ１２０８内に解放ボタン１３０２と空気退避チューブ１３０４を含む。空気退避チューブ１３０４は空気退避チューブ１３０４の一端１３０６ａがシャフトチャンバ封止１３０８を通じて延び、周辺環境に封止されないよう配置される。空気退避チューブ１３０４の対向する端部１３０６ｂはチェックバルブ１２１２ｅの直前に位置づけられ、シャフトチャンバ１２０８とホース１２１０との間の空気流と、シャフトチャンバ１２０８からの空気退避チューブ１３０４の間の空気流双方を規制する。空気退避チューブ１３０４はばね１３１０によってこの形状に付勢される。この形状において、空気退避チューブ１３０４は封止され、ポンプ１４２’’と空気袋１２８の他の構成要素内からの空気は空気退避チューブ１３０４内に流れることができない。空気退避チューブ１３０４の端部１３０６ｂとチェックバルブ１２１２ｅはより詳細に図１３Ｂに示される。しかしながら、図１３Ｃに示されるように、解放ボタン１３０２が押されたとき、空気退避チューブ１３０４はばね１３１０に反してレバー１３１２によって上側に押される。図１３Ｄに示されるように、結果として、空気退避チューブの端部１３０６ｂはチェックバルブ１２１２ｅを超えて押され、これにより空気袋１２８からの圧縮された空気が空気退避チューブ１３０４内へ許容される。この空気流はその後空気退避チューブ１３０４を通じて、空気退避チューブ１３０４の対向する端部１３０４から外部環境に出る（たとえば解放ボタン１３０２上または周辺のチャネルまたはギャップを通じて）。結果として、空気袋１２８は空気を抜かれ、これにより傘を収容された形状につぶす。
【００６８】
解放ボタン１３０２が解放されたとき、空気退避チューブ１３０４の端部１３０６ｂはチェックバルブ１２１２ｂを通じて反応し、これにより空気退避チューブ１３０４を空気袋１２８から再封止する。使用者は空気袋を膨らませるために再びポンプを使用することができる（たとえば以上に説明したようにポンプを回転させることにより）。
【００６９】
他の例として、図１４Ａは図１２Ａ〜Ｅに示されたのと概ね同様の形状を有するポンプ１４２’’’を示す。このケースにおいて、しかしながら、ポンプ１４２’’’はシャフトチャンバ１２０８付近に位置づけられ、チェックバルブ１２１２ｅと１２１２ｆとの間でシャフトチャンバ１２０８の一部を覆う空気解放カラー１４０２を含む。シャフトチャンバ１２０８はまたチェックバルブ１２１２ｅと１２１２ｆとの間でいくつかのチャネル１４０４を含み空気がシャフトチャンバ１２０８および／または空気袋１２８から流れるのを許容する。この形状において、しかしながら、チャネル１４０４は空気解放カラー１４０２によって妨げられる。こうして、空気袋１２８内からの空気はチャネル１４０４を通じて外部環境へ退避することができない。空気解放カラー１４０２とチャネル１４０４はより詳細に図１４Ｂに示される。
【００７０】
図１４Ｃに示されたように、空気解放カラー１４０２がチャネル１４０４から引かれたとき（たとえば矢１４０６の方向に）、チャネル１４０４はもはや空気解放カラー１４０２によって妨げられない。結果として、空気袋１２８内からの圧縮された空気はチャネル１４０２を通じて退避する。結果的に、空気袋１２８は空気を抜かれ、これにより傘を収容された形状につぶす。
【００７１】
解放ボタン１３０２が解放されたとき、空気解放カラー１４０２はその当初の位置に後退し、ふたたびチャネル１４０４を妨げ、これにより空気袋１２８を外部環境から再封止する。使用者は空気袋を膨らませるために再びポンプを使用することができる（たとえば、以上に説明したようにポンプを回転して）。
【００７２】
以上に説明された傘において、空気袋１２８は手動で起動されるポンプ１４２を用いて膨らまされる。しかしながら、いくつかの傘において、空気袋１２８はポンプ１４２に追加して、またはこれに代えて他の機構を用いて膨らまされる。たとえば、いくつかの傘１００は空気袋１２８に結合された１またはそれ以上の圧縮空気の容器（たとえば圧縮空気またはＣＯ２のボトル）を含む。例示的な使用において、使用者は空気袋１２８に空気を注入し天蓋を展開するために（たとえば解放バルブを用いて容器から空気を解放することにより）、容器を用いる。いくつかのケースにおいて、傘は使用者が手動でポンプを回転させることなく、空気袋１２８を制御可能に膨らませることを許容する１またはそれ以上の電気的ポンプを含む。いくつかのケースにおいて、傘１００は天蓋アセンブリを展開するためにガスを発生させるガス発生装置を含む。たとえば、いくつかの傘は固体アジドなどの固体推進剤（propellant）を用いて窒素ガスを発生させるガス発生器を含む。
【００７３】
多数の実装が説明されてきた。にもかかわらず、本開示の精神および範囲から離れることなく様々な修正がなされてもよいことが理解されるであろう。こうして、他の実装は以下の請求項の範囲内にある。
【図１Ａ】
2017535391.tif 000003
【図１Ｂ】
2017535391.tif 000004
【図２】
2017535391.tif 000005
【図３Ａ】
2017535391.tif 000006
【図３Ｂ】
2017535391.tif 000007
【図３Ｃ】
2017535391.tif 000008
【図４Ａ】
2017535391.tif 000009
【図４Ｂ】
2017535391.tif 000010
【図５Ａ】
2017535391.tif 000011
【図５Ｂ】
2017535391.tif 000012
【図６Ａ】
2017535391.tif 000013
【図６Ｂ】
2017535391.tif 000014
【図７Ａ】
2017535391.tif 000015
【図７Ｂ】
2017535391.tif 000016
【図８Ａ】
2017535391.tif 000017
【図８Ｂ】
2017535391.tif 000018
【図９】
2017535391.tif 000019
【図１０】
2017535391.tif 000020
【図１１】
2017535391.tif 000021
【図１２Ａ】
2017535391.tif 000022
【図１２Ｂ】
2017535391.tif 000023
【図１２Ｃ】
2017535391.tif 000024
【図１２Ｄ】
2017535391.tif 000025
【図１２Ｅ】
2017535391.tif 000026
【図１３Ａ】
2017535391.tif 000027
【図１３Ｂ】
2017535391.tif 000028
【図１３Ｃ】
2017535391.tif 000029
【図１３Ｄ】
2017535391.tif 000030
【図１４Ａ】
2017535391.tif 000031
【図１４Ｂ】
2017535391.tif 000032
【図１４Ｃ】
2017535391.tif 000033
【国際調査報告】
2017535391.tif 000034